(57)【要約】      （修正有）【課題】月に人類が居住できるようにし、又、月を地球のために活用するシステムを提供する。【解決手段】月の横穴空洞３を活用し、住居、商店街、工場、病院、官庁、町等６や無人ロボット装置等を宇宙線、紫外線が直射しない横穴に設け、縦穴２を活用し、エレベータ５、階段４を設け月面と月地下への移動を容易にし、又、月面上の光合成装置等の酸素生成による酸素と空洞内の人間から発する二酸化炭素供給パイプの通路として利用するようにする。【選択図】図４
2020066340.tif 000002
【特許請求の範囲】
【請求項１】
月の横穴空洞を活用し、住居、商店街、工場、病院、官庁、町や無人ロボット装置等を宇宙線、紫外線が直射しない横穴に設け、縦穴を活用し、エレベータ、階段を設け月面と月地下への移動を容易にし、又、月面上の光合成装置等の酸素生成による酸素と空洞内の人間から発する二酸化炭素供給パイプの通路として利用するようにしたことを特徴とする月活用システム。
【請求項２】
月の縦穴上や空洞上に隕石や宇宙線等からの防御体を設ける。
【請求項３】
請求項２の防御体を太陽光、地球光、温度差等による発電エレメントとする。  
【請求項４】
月でエネルギを発電し、このエネルギを地球へ送り地球でエネルギとして使用する月活用システム。
【請求項５】
月と地球との重力や酸素濃度、大気等、の差を活用して地球で出来ない化学反応、医療、工業、生活等を行う事を特徴とする月活用システム。
【発明の詳細な説明】
【技術分野】
【０００１】
本発明は、月利用システムに関する。
【背景技術】
【０００２】
月面には海面上の地球の大気の密度の100兆分の1以下程度しか大気がなく、常に微隕石の衝突、紫外線、X線等の各種の宇宙線にさらされる過酷な宇宙空間部分であることは明らかである。
又、最近イーロン・マスク氏が民間による月旅行を計画しているが、月にどう住むかは未解決である。
【発明の概要】
【発明が解決しようとする課題】
【０００３】
（１）月を具体的にどのように利用するかという実用的な提案は公知文献にはない。
（２）月に住居、病院、工場、町、都市等を具体的に設ける公知文献はない。
（３）地球では出来ないことを月で行う公知文献はない。
（４）本発明の目的は、月の地球への利用エネルギの供給などの月利用を
提供することにある。      
【０００４】
月表面には多量の放射線、宇宙線、紫外線、隕石８が落ちるなど、住居環境としては適していない。
本発明は、以上のような事情に鑑みなされたものであり、月に住居、商店街、役所、町、工場、病院等を設ける事と地球へ貢献するシステムの提供を目的とする。
【課題を解決するための手段】
【０００５】
２０１７年１０月JAXA（宇宙航空研究開発機構）の衛星「かぐや」が図１、図２に示す如く月１に自然に形成された直径及び深さが数十メートルの縦穴２と数十キロメートルの横穴の地下空洞３が存在することを発見した事が発表された。」
【０００６】
本発明は第３図に示す如く月の表面１aにあいた縦穴２に階段４やエレベータ５を設ける。階段４の踏板は宇宙線等８を遮断する材料を使用する事により、階段下に宇宙線等８が来ないように出来るので人が活用出来るスペースを作ることが出来る。又、宇宙線等８が月面１aで遮断されるので地下空洞３に住居、商店街、工場、役所、町等６や病院等７を設け得る事を活用した本発明実施の一例である。
【０００７】
月は重力が少なく大気がほとんど無いので地球では出来なかった化学合成や治療法などが上記工場６や病院で出来るので本発明の効果は絶大である。
【０００８】
第４図は本発明の第２実施例を示し、月の縦穴２に設けたエレベータ５や階段４の上に屋根状の放射線や隕石等８を遮断する宇宙線防御板９を設ける。月は太陽のみならず地球から光を得るので、これを太陽光、地球光発電パネルとすれば月で使用する電気エネルギの発電にも兼用し得る。
又、縦穴防御板９と同様に月の横穴６の上にも宇宙線等８が空洞６の中に侵入することを防ぐ横穴上部防御板１０を設ける。
【０００９】
もちろん前記の防御板９、１０を設けなくても本発明に含まれる。
【００１０】
１１は階段入口である。階段４は螺旋階段や折り返し階段でもよい、１２はエレベータの外部出入口、１３はエレベータの籠、１４はエレベータの空洞内出入口である。
【００１１】
第５図は第４図の上面図である。
【００１２】
前記の太陽光パネルと宇宙線等防御板を兼用するのではなく、太陽光、地球光パネルのみ、または宇宙線等防御板のみとした場合も本発明に含まれる。
【００１３】
又、月は温度の差が激しいので、温度差を利用した月での発電及びそのシステムも本発明に含まれる。
【００１４】
前記太陽光や地球光による発電や温度差発電で得た電力は、月での活動に使用するのみならず、月で得た電力をマイクロウエブ等の手段で地球に送り、月を地球の電源とすることも本発明に含まれる。
【００１５】
本発明において月で使用する構成物は、宇宙線、放射線等にさらされる放射線等照射部分と、前記放射線等照射にさらされない非照射部分を活用して、前記非照射部分に町等６病院等７とを有することを特徴とする。
【００１６】
月１の地下に自然に存在する横穴空洞３と、前記横穴３と月表面１aを貫通する自然に存在する縦穴２を備えた月の構造を利用し、前記横穴空洞３に人間が使用するインフラ６、７を設け、更にこれを使用して月を活用することを特徴とする。
また、横穴とつながる縦穴の部分に階段やエレベータなどの移動部を設けているので、例えば、月表面における活動時においては容易に地上と地中との間を移動することができることを特徴とする。
また、移動部として最も簡単な構成は図３の階段４で階段のステップ板は宇宙線８等が透過しない材料で造り、その下に放射線８が当たらないゾーンが形成できる。又、平階段以外にも折り返し階段、螺旋階段などを採用した場合も本発明に含まれる。
【００１７】
前記横穴に設けた工場６や病院７は、重力が地球の６分の１であることを利用して、地球では出来ない加工や患者の足や腰などの治療や各種リハビリや化学治療を行うことが出来ることも特徴とする。
【００１８】
月１に自然に形成された前記縦穴２に設けられた前記人間が住むことが出来る部分６、７の上方位置、その他任意の位置に、照射光型や温度差を利用したエネルギに生成手段が設けられていることも特徴とする。
【００１９】
図５の太陽光パネルや温度差発電素子１０を更に延長して月全周にまわし（図示せず）、２４時間月と地球にエネルギを送ることが出来るようにしたのが本発明の第３実施例である。
【００２０】
前記の如く月面における温度差を用いて、発電を行う温度差発電装置を月に設け、太陽光等の照射光が当たる位置と、太陽光等の照射光が当たらない位置とに温度差発電装置を配置した（図示せず）のが本発明第４実施例である。
【００２１】
太陽光線等を受ける高温部と、光線等を受けない影部分の低温部を共に有するクレータ周面部等の月面形状を利用する（図示せず）のが、本発明第５実施例である。
【００２２】
前記照射光型エネルギ生成手段や前記温度差エネルギ生成手段において、地球光や太陽光等の照射光が当たる位置と、地球光や太陽光等の照射光が当たらない位置に設ける（図示せず）のが本発明第６実施例である。
【００２３】
病院や研究所７で地球上に存在する小生物、微生物、ウイルス等の実験を空洞内で行うことも本発明の第７実施例である。
【００２４】
図４、図５のソーラーパネルや、温度差パネルを月の全周に巻いて、月のいかなる位置でも電力を発生し、月と地球にエネルギを得るのが本発明第８実施例である。
【発明の効果】
【００２５】
本発明によれば、今まで不可能だった月における宇宙線や紫外線の恐れなく住居、町、工場、病院を建設でき、人類が安心して月で居住することができる。又、地球では人口が増え過ぎているので、月への移住でこの問題が解決出来る。地球上で治らなかった病気を治すことが出来る健康上のメリットがある。又、地球上で出来なかった化学反応の研究が出来る。又、それによる生産や新しい産業を起こすことが出来る。又、地球へエネルギ供給し地球エネルギの不足を補え、且つそのエネルギが地球環境を汚さないなど、本発明の効果は偉大である。
【図面の簡単な説明】
【００２６】
【図１】新たに発見された月の表面に存在する縦穴２と月表面の地下に存        在する穴空洞３を示す図である。
【図２】図１の月の横断面
【図３】本発明の第１実施例、月の断面図である。
【図４】本発明の第２実施例、月の断面図である。
【図５】図４の上面図
【発明を実施するための形態】
【００２７】
前記の「課題を解決するための手段」で詳述した通りである。即ち図３、図４、図５は本発明の実施形態である。
この図に示すように、本発明は、月の縦穴及び横穴を利用して住居設備などを設けている。
具体的には、縦穴には、階段やエレベータなどの移動部を設ける。
これにより、月の地上と地中とを移動することができる。
また、横穴には、住居、町、農地、池、工場、官庁、病院等を設ける。
すなわち、月の非照射部分（非直射部分）である空洞部分を居住空間とする。
これにより、人々が放射線等に被曝することなく安心して居住することができる。
また、横穴とつながる縦穴の部分に階段やエレベータなどの移動部を設けているので、例えば、月表面における活動時においては容易に地上と地中との間を移動することができる。
そのほかのことは「課題を解決するための手段」の項に詳述してある。
ところで人間が住むための酸素は月面上に温室状の箱を設け、この中に植物を入れて太陽光、地球光、宇宙エネルギで光合成させて発生した酸素を縦穴２を通じたパイプ空洞３に供給する。一方空洞３内で発生した人間の発する二酸化炭素はパイプで縦穴２を通して月面の前記温室に送られ、その中の植物の光合成により酸素としてパイプを縦穴を通し、人間のいる空洞３に供給される。
水については月を探査し発見するか、水素と酸素を合成する。前記ができない場合でも空洞６に設置するものはすべて無人化してロボットに働かせ、その電力は前記の月発電エネルギ装置により動かす。以上は公知技術であるので図示していない。
【産業上の利用可能性】
【００２８】
本発明により、そのほかの詳細は「課題を解決するための手段」の項に詳述した通りである。地球では出来なかった事を行え、月を有効に活用することができ、又、地球にも月からのエネルギを与えるなど産業上の利用可能性大である。
【符号の説明】
【００２９】
１  月
１a月の表面
２  月の縦穴
３  月の横穴空洞
４  階段
５  エレベータ
６  住居、商店街、工場、役所、町等
７  病院等
８  放射線や隕石等
９  縦穴上部宇宙線等防御板（ソーラー発電兼用可）
１０  横穴上部防御板（ソーラー発電温度差発電兼用可）
１１  階段入口
１２  エレベータ外部出入口
１３  エレベータ籠
１４  エレベータ空洞内出入口
【図１】
2020066340.tif 000003
【図２】
2020066340.tif 000004
【図３】
2020066340.tif 000005
【図４】
2020066340.tif 000006
【図５】
2020066340.tif 000007
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
月の横穴空洞を活用し、住居、商店街、工場、病院、官庁、町又は無人ロボット装置を、隕石や宇宙線及び紫外線が直射しない横穴に設け、縦穴を活用し、エレベータ及び階段を設け月面と月地下への移動を容易にし、又、当該エレベータ及び階段を、月面上の光合成装置等の酸素生成による酸素と、空洞内の人間から発する二酸化炭素との通路として利用するようにし、前記エレベータおよび階段の上部に前記縦穴の開口部から隕石や宇宙線及び紫外線が侵入しないように防御体を設け、前記横穴の天井部に隕石や宇宙線および紫外線からの防御体としての太陽光、地球光、温度差等による発電エレメントを設けることを特徴とする月活用システム。